(57)【要約】【課題】汚水枡での水質検査を可能とし、メインテナンスも簡単で長期的に安定したデータをとることができる汚水枡用水質検査装置を提供する。【解決手段】汚水枡５０の上流側にある入水管５６の管壁面内に弾性力による突っ張り状態で取り付けられる取付部１２と、枡内のインバート５８内にはめ込まれて計測槽３６を画成する本体１４と、本体１４に固定されて計測槽３６内の排水の水質を計測するセンサ１６と、枡蓋５２に吊下げられてセンサ１６からのデータを記録するデータロガー１８と、を備える。【選択図】図４
2008026257.tif 000002
【特許請求の範囲】
【請求項１】
汚水枡に設置されて、汚水枡に流入される排水の水質を検査する水質検査装置であって、
汚水枡の上流側に連結される入水管の管壁面内に弾性力による突っ張り状態で取り付けられる取付部と、
枡内のインバート内にはめ込まれて計測槽を画成する本体と、
前記本体に固定されて前記計測槽内の排水の水質を計測するセンサと、
を備えることを特徴とする汚水枡用水質検査装置。
【請求項２】
前記取付部は、円弧状の断面形状をなす弾性帯体からなることを特徴とする請求項１記載の汚水枡用水質検査装置。
【請求項３】
前記弾性帯体の両端部にはそれぞれその下流側に伸びる取手が設けられることを特徴とする請求項２記載の汚水枡用水質検査装置。
【請求項４】
前記取付部と前記本体とはヒンジによって折れ曲がり可能に連結されることを特徴とする請求項１ないし３のいずれか１項に記載の汚水枡用水質検査装置。
【請求項５】
前記本体には、上流側からの計測槽への排水の流入を許容し計測槽からの排水の流出を禁止する一方向弁が設けられることを特徴とする請求項１ないし４のいずれか１項に記載の汚水枡用水質検査装置。
【請求項６】
前記一方向弁は、上流側に向って上方が傾斜すると共に開口が穿設された固定プレートと、該固定プレートの下流側において該固定プレートの上端に一端が固着されて、他端側が開口を開閉可能となった可撓性の可動プレートと、を有することを特徴とする請求項５記載の汚水枡用水質検査装置。
【請求項７】
前記一方向弁の上流側には、多数の孔が穿設された漂流物防止プレートが配置されることを特徴とする請求項５または６記載の汚水枡用水質検査装置。
【請求項８】
前記本体には、枡内のインバートの内面形状に合致する形状を有するアタッチメントが必要に応じて取り付けられることを特徴とする請求項１ないし７のいずれか１項に記載の汚水枡用水質検査装置。
【請求項９】
前記センサにケーブルを介して接続されてセンサからのデータを記録するデータロガーが、汚水枡の枡蓋に吊下げられることを特徴とする請求項１ないし８のいずれか１項に記載の汚水枡用水質検査装置。
【請求項１０】
前記データロガーは吊下げ金具を介して枡蓋に吊下げられており、該吊下げ金具は、データロガーを取り付けるデータロガー取付部と、枡蓋に取り付けられる枡蓋取付部とを有し、データロガー取付部は、枡蓋に形成された細長の貫通孔に対してある方向において貫通可能で別の方向で貫通不可能となっており、枡蓋取付部は貫通孔を貫通不可能となっていることを特徴とする請求項９記載の汚水枡用水質検査装置。
【請求項１１】
さらに、計測槽からの排水を汲み上げて採水する採水装置を備え、該採水装置は、センサから得られた計測データが所定の条件を満足する場合に作動することを特徴とする請求項１ないし１０のいずれか１項に記載の汚水枡用水質検査装置。
【発明の詳細な説明】
【技術分野】
【０００１】
本発明は、事業所からの排水または事業所排水と家庭排水の混合の排水を本管に接続する途中に設けられる汚水枡において、事業所または一般家庭からの排水の水質を検査する汚水枡用水質検査装置に関する。
【背景技術】
【０００２】
従来、事業所または一般家庭からの排水は検査する手立てがなく、本管において下水を採水して、その採水された排水の水質を検査することが一般的に行なわれている。
【０００３】
しかしながら、本管には多数の事業者または一般家庭からの排水が流れているために、その水質を検査しても、その水質悪化の排出源の特定は困難で手間がかかる、という問題がある。
【０００４】
また、採水は人手を使って行なわれるために、労力及び人件費がかかる、という問題がある。
【０００５】
そのため、各事業所または各一般家庭からの排水が入水される汚水枡において排水の水質検査を行なうことが出来れば、排出源の特定に手間がないために便利であるが、従来、そのような装置の実用化に成功していなかった。
【発明の開示】
【発明が解決しようとする課題】
【０００６】
本発明はかかる課題に鑑みなされたもので、汚水枡での水質検査を可能とし、メインテナンスも簡単で長期的に安定したデータをとることができる汚水枡用水質検査装置を提供することをその目的とする。
【課題を解決するための手段】
【０００７】
上記目的を達成するために、本発明のうち請求項１記載の発明は、汚水枡に設置されて、汚水枡に流入される排水の水質を検査する水質検査装置であって、
汚水枡の上流側に連結される入水管の管壁面内に弾性力による突っ張り状態で取り付けられる取付部と、
枡内のインバート内にはめ込まれて計測槽を画成する本体と、
前記本体に固定されて前記計測槽内の排水の水質を計測するセンサと、
を備えることを特徴とする。
【０００８】
請求項２記載の発明は、請求項１記載の前記取付部が、円弧状の断面形状をなす弾性帯体からなることを特徴とする。
【０００９】
請求項３記載の発明は、請求項２記載の前記弾性帯体の両端部に、それぞれその下流側に伸びる取手が設けられることを特徴とする。
【００１０】
請求項４記載の発明は、請求項１ないし３のいずれか１項に記載の前記取付部と前記本体とが、互いに折れ曲がり可能に連結されることを特徴とする。
【００１１】
請求項５記載の発明は、請求項１ないし４のいずれか１項に記載の前記本体に、上流側からの計測槽への排水の流入を許容し計測槽からの排水の流出を禁止する一方向弁が設けられることを特徴とする。
【００１２】
請求項６記載の発明は、請求項５記載の前記一方向弁が、上流側に向って上方が傾斜すると共に開口が穿設された固定プレートと、該固定プレートの下流側において該固定プレートの上端に一端が固着されて、他端側が開口を開閉可能となった可撓性の可動プレートと、を有することを特徴とする。
【００１３】
請求項７記載の発明は、請求項５または６記載の前記一方向弁の上流側に、多数の孔が穿設された漂流物防止プレートが配置されることを特徴とする。
【００１４】
請求項８記載の発明は、請求項１ないし７のいずれか１項に記載の前記本体に、枡内のインバートの内面形状に合致する形状を有するアタッチメントが必要に応じて取り付けられることを特徴とする。
【００１５】
請求項９記載の発明は、請求項１ないし８のいずれか１項に記載の前記センサにケーブルを介して接続されてセンサからのデータを記録するデータロガーが、汚水枡の枡蓋に吊下げられることを特徴とする。
【００１６】
請求項１０記載の発明は、請求項９記載の前記データロガーが吊下げ金具を介して枡蓋に吊下げられており、該吊下げ金具は、データロガーを取り付けるデータロガー取付部と、枡蓋に取り付けられる枡蓋取付部とを有し、データロガー取付部は、枡蓋に形成された細長の貫通孔に対してある方向において貫通可能で別の方向で貫通不可能となっており、枡蓋取付部は貫通孔を貫通不可能となっていることを特徴とする。
【００１７】
請求項１１記載の発明は、請求項１ないし１０のいずれか１項に記載のものにおいて、さらに、計測槽からの排水を汲み上げて採水する採水装置を備え、該採水装置は、センサから得られた計測データが所定の条件を満足する場合に作動することを特徴とする。
【発明の効果】
【００１８】
本発明によれば、入水管の管壁面内に取付部が弾性力によって取り付けられ、本体が枡内のインバート内にはめ込まれるために、汚水枡の底面に装置が確実に取り付けられる。また、本体が計測槽を画成するために、汚水枡に流入される排水が間歇的なものであっても、安定して長期に渡り計測を行なうことができる。こうして、簡単なメインテナンスで汚水枡において水質を検査することができるようになる。
【００１９】
請求項２記載の発明によれば、弾性帯体を用いることにより、入水管からの排水の流入を妨害することなく、取付部を入水管の管壁面内面に突っ張り状態で取り付けることができる。
【００２０】
請求項３記載の発明によれば、取手同士の間隔を可変になるように操作することで、装置の取り付け、取り外し作業を簡単に行なうことができる。汚水枡外部から取手を直接持って操作することもでき、または汚水枡の深さが深いときには、冶具を用いて取手を操作して装置の取り付け、取り外し作業を行なうことができる。
【００２１】
請求項４記載の発明によれば、取付部と本体とをヒンジを介して折り曲げることによって、装置を取り付け、取り外す際に、円滑に汚水枡の上部開口から装置を出し入れすることができる。
【００２２】
請求項５記載の発明によれば、一方向弁によって、新たな排水があったときにその計測槽への流入を許容すると共に、計測槽からの流出を制限することで、計測槽に常時排水が貯留されるようにすることができる。
【００２３】
請求項６記載の発明によれば、常時は可動プレートの自重によって可動プレートが固定プレートに覆い被さることにより開口を閉じることができ、上流側からの排水があったときにのみその圧力によって可動プレートの他端側が固定プレートから離反して、開口を開くことができる。簡単な構成で一方向弁を構成することができる。
【００２４】
請求項７記載の発明によれば、漂流物防止プレートによって、一方向弁に漂流物や流下物が詰まるのを防ぐことができる。
【００２５】
請求項８記載の発明によれば、本体の外面形状がインバートの内面形状に合致しない場合にアタッチメントを本体に取り付けることで、インバートの内面形状に合致させることができる。こうして、インバート内に安定して本体を設置することができる。
【００２６】
請求項９記載の発明によれば、データロガーを汚水枡内で常時排水に晒されることなく安定して配置することができる。
【００２７】
請求項１０記載の発明によれば、枡蓋を汚水枡から開いた状態で、データロガー取付部の方向性を枡蓋の貫通孔に合わせて該貫通孔を貫通させた後、データロガー取付部にデータロガーを取り付けて、枡蓋を閉じると、枡蓋取付部が貫通孔を貫通することができないためにデータロガーを枡蓋に吊下げることができる。枡蓋を開ける際には、吊下げ金具のデータロガー取付部の方向性を貫通孔を貫通しないように合わせて、枡蓋取付部を持ち上げると、枡蓋を開くことができる。
【００２８】
請求項１１記載の発明によれば、センサから得られた計測データが所定の条件を満足するとき、例えば、正常でない値を示しているときに、その時の排水を採水装置で汲み上げて採水しておくことによって、その採水されたサンプルを後日、調査に供することができるようになる。
【発明を実施するための最良の形態】
【００２９】
以下、図面を用いて本発明の実施の形態を説明する。
図１及び図２は本発明の汚水枡用水質検査装置１０の全体図である。図において、汚水枡用水質検査装置１０は、大まかに、取付部１２と、本体１４と、センサ１６と、データロガー１８（図４参照）と、を備えている。
【００３０】
取付部１２は、断面形状が円弧状をなした弾性帯体２０と、弾性帯体２０の両端から下流側に向って延びる棒２２の先端に形成されたリング状の取手２４とを有している。リング状の取手２４は、そのリング面が上下に向くように配置される。
【００３１】
弾性帯体２０の径は、弾性帯体２０の自然状態で、汚水枡の上流側に連結される入水管の径よりもやや大きくなるように設定される。
【００３２】
取付部１２よりも下流側には、ヒンジ２８を介して本体１４が連結される。取付部１２と本体１４とは両者が折れ曲がるように揺動可能となっている。
【００３３】
本体１４は、汚水枡内の底部に形成される凹状の溝であるインバートに嵌め入れられるように適した半円筒形状の外ケース３０と、外ケース３０の最も上流側の入口に設けられた漂流物防止プレート３２と、漂流物防止プレート３２に整列してその下流側の外ケース３０の内部に設けられた一方向弁３４と、を備えており、一方向弁３４と一方向弁３４よりも下流側の外ケース３０によって計測槽３６が画成される。
【００３４】
漂流物防止プレート３２は、上方が下流側に傾斜しており、多数の孔３２ａが穿設されている。この漂流物防止プレート３２は、排水に混入されている漂流物や流下物をせき止めて、これらが一方向弁３４の作動を妨害しないようにするためのものである。
【００３５】
一方向弁３４は、上流側からの計測槽３６への排水の流入を許容し計測槽３６からの排水の流出を禁止するためのものであり、上流側に向って上方が傾斜するようにして外ケース３０に固定された固定プレート３８と、固定プレート３８の下流側において固定プレート３８の上端に一端が固着された可撓性の可動プレート４０と、を有する。固定プレート３８には、その下部に複数の開口３８ａが穿設されている。可撓性の可動プレート４０は、ゴムのような弾性材からなるシートで構成することができ、その下端が可動して前記開口３８ａを開閉可能となっている。可動プレート４０はその自重によって固定プレート３８の開口３８ａを閉じる方向に付勢されるが、上流側の排水の流体圧によって開口３８ａから離反して開口３８ａを開くことができる。
【００３６】
こうして、一方向弁３４によって、計測槽３６には常時排水が貯留されるようになっている。
【００３７】
センサ１６は、外ケース３０の両側部に掛け渡された取付棒４２に固定されており、その先端部分にある検出部１６ａが貯留槽３６内に挿入されている。水質を計測するセンサ１６としては、ｐＨセンサ、濁度センサ、電気伝導度センサ、等を例示することができる。また、温度補償用に温度センサ１６ｂを併設することができる。
【００３８】
センサ１６は、データカード内蔵のデータロガー１８にケーブル４４を介して接続される。
【００３９】
以上のように構成される汚水枡用水質検査装置を汚水枡に設置するには、図３に示した汚水枡５０の上部の枡蓋５２を開けて、上部開口から挿入する。このときに、取付部１２と本体１４とがヒンジ２８を介して折れ曲がり可能となっているために、狭い上部開口であっても、簡単に挿入することができる。汚水枡５０の底部において、取付部１２を上流側にある入水管５６に挿入する。そして、取手２４を持って弾性帯体２０を縮径状態で挿入し、挿入後に解放すると、弾性帯体２０が入水管５６の管壁面内に突っ張り状態となる。また、本体１４を汚水枡５０の底部に形成されたインバート５８にはめ込む。これによって、図４に示すように、本体１４及び取付部１２が汚水枡５０の底部で固定される。
【００４０】
また、本体１４に固定されているセンサ１６とケーブル４４で接続されるデータロガー１８に固定されたブラケットにはナスリング１８ａが設けられており、ナスリング１８ａは、吊下げ金具４６に着脱可能に取り付けられる。吊下げ金具４６は、図５に示したように、データロガー１８が取り付けられるデータロガー取付部４６ａと、枡蓋取付部４６ｂと、該取付部４６ａと４６ｂを連結する連結棒４６ｃとからなる。このデータロガー取付部４６ａと連結棒４６ｃは、枡蓋５２に形成された細長の貫通孔５２ａを貫通することができるのに対して、枡蓋取付部４６ｂは貫通孔５２ａを貫通することができないようになっている。また、データロガー取付部４６ａは、方向によって細長の貫通孔５２ａを貫通することができるが、回転することで方向を変えると、貫通孔５２ａを貫通することができない形状になっている。
【００４１】
吊下げ金具４６は、枡蓋５２を汚水枡５０から開いた状態で、外部から枡蓋５２の貫通孔５２ａにデータロガー取付部４６ａと連結棒４６ｃを挿入し、挿入後のデータロガー取付部４６ａにデータロガー１８のナスリング１８ａを取り付けて、枡蓋５２を閉じる。而して枡蓋取付部４６ｂが貫通孔５２ａを貫通することができないためにデータロガー１８を枡蓋５２に吊下げることができる。
【００４２】
以上のように取り付けられた汚水枡用水質検査装置では、入水管５６からの排水が汚水枡５０に流出すると、漂流物、流下物以外の流体が漂流物防止プレート３２を通過し、一方向弁３４を通過して計測槽３６に流入して計測槽３６に貯留する。こうして、センサ１６によって所定時間毎に排水の水質が計測されて、そのデータがデータロガー１８に記録される。
【００４３】
入水管５６から間歇的または連続的に排水が汚水枡５０に流入されると、圧力差により一方向弁３４が開いて、計測槽３６に新たな排水が流入し、計測槽３６から余分な排水は溢れ出て、排出管６０を通って本管に流れ出て行く。
【００４４】
入水管５６からの排水の流入が間歇的な場合であっても、入水管５６からの新たな排水の流入があるまでは計測槽３６に排水が貯留されているので、センサ１６からのデータは途切れることなく、安定して計測を行うことができる。よって、センサ１６が常時水中内にあることが必要なセンサであっても、センサ１６の不良や故障を招くことなく、安定して計測を行なうことができる。
【００４５】
また、データロガー１８は防水を施されたものとすることが好ましいが、枡蓋５２に吊下げられているので、排水量が増大した場合を除き常時は排水に晒されることなく、安定してデータの記録を行なうことができる。データロガー１８に蓄積されたデータは、定期的な巡回によりデータカードの交換を行なって回収されるか、または、携帯型コンピュータにデータ転送される。または、枡蓋またはその周辺に配置された無線送信装置により、データを無線で基地局へと送信することも可能であり、その場合、電力はソーラ電池を利用することができる。
【００４６】
こうして、頻繁なメインテナンスを不要とすることができ、省力化を図りつつ長期間に亘り安定して自動的に計測を行なうことができる。
【００４７】
尚、汚水枡５０に汚水枡用水質検査装置を取り付ける際または取り外す際に、汚水枡５０が深いときには、直接取付部１２の取手２４に手が届かないので、その場合には、図８に示すような治具７０を用いるとよい。冶具７０は、遠隔で操作する操作部７０ａと、操作部７０ａに印加された操作力を伝達する伝達部材を内部に備える細長棒７０ｂと、伝達部材によって伝達された操作力により一対の先端部７０ｄ、７０ｄが開閉する作動部７０ｃとを備えている。作動部７０ｃの各先端部７０ｄは、対応する取手２４のリング内に挿入可能となっている。作動部７０ｃの先端部７０ｄを取手２４に挿入して、操作部７０ａを操作して一対の取手２４の相対距離を変化させることにより、冶具７０を使用して作業を行うこともできる。
【００４８】
枡蓋５２を開ける際には、吊下げ金具４６の枡蓋取付部４６ｂを掴み、上方へと引っ張る。このときにデータロガー取付部４６ａと貫通孔５２ａとの方向性に注意して、両者が整合しないように吊下げ金具４６を適宜回転させると、データロガー取付部４６ａが枡蓋５２に係止されるので枡蓋５２を持ち上げることができて、吊下げ金具４６を用いて枡蓋５２を簡単に開けることができる。
【００４９】
入水管５６の内径に複数の種類があるときには、インバート５８の内径がそれに合わせて異なってくる。インバート５８の内径の方が、本体１４の半円筒形状の外ケース３０の外径よりも大きく、本体１４の外面形状がインバート５８の内面形状に合致しない場合には、図６及び図７に示したようなアタッチメント４８を適宜数取り付けることができる。アタッチメント４８は、外ケース３０に取り付けられる取付部４８ａと、インバート５８の内周面に合致した周面部４８ｂと、を有している。こうして、アタッチメント４８によってインバート５８の内面形状に合致させることができ、インバート５８内に安定して本体１４を設置することができる。
【００５０】
図９は、本発明の他の実施形態を表す図である。この実施形態では、図１に示された汚水枡用水質検査装置に加えて、計測槽３６内の排水を汲み上げる採水装置８０を備えている。採水装置８０は、ポンプ８２と、採水容器８４と、ポンプ８２を介して計測槽３６と採水容器８４とを連結するチューブ８６と、を備え、データロガー１８と共に吊下げ金具４６によって枡蓋５２に支持されている。チューブ８６は取付棒４２に固定された固定具によって支持され、その先端は計測槽３６内に侵入しており、常に計測槽３６の排水内にある。また、チューブ８６の先端にはストレーナ８６ａが設けられている。ポンプ８２は、ケーブル８８を介してデータロガー１８内に設けられた制御部９０に接続される。
【００５１】
制御部９０は、センサ１６からの信号を取り込み、そのセンサ１６から得られる計測データが所定の範囲にあるかどうかを判定すると共に、所定の条件を満足するとき、即ち計測データが所定の範囲にあるときに、ケーブル８８を介してポンプ８２の作動信号を所定時間出力して、採水容器８４に十分な排水を溜めることができる時間だけポンプ８２を駆動させるものである。
【００５２】
また、ポンプ８２には別途ポンプを駆動するための作動釦が設けられている。
【００５３】
この実施形態によれば、センサ１６が継続的に水質の計測を行なっており、例えば水質が異常値（例えばｐＨ値が４以下または１０以上）を示す場合に、そのときの排水を採水容器８４に汲み上げておくことができる。通常は、一時的に異常値を示す排水があったとしてもそれを捉えることは困難であるが、この実施形態によれば、異常時を示す際の排水を保存しておくことができるようになり、追ってこの採水容器８４を回収して検査等に供することができるようになる。採水容器８４を回収後は、新たな採水容器８４を採水装置８０にセットしておくことができる。また、回収の際に、作動釦を操作してポンプ８２を駆動して、洗浄水をチューブ８６及びポンプ８２に流すことにより、これらの洗浄を行なうことができる。
【図面の簡単な説明】
【００５４】
【図１】本発明の汚水枡用水質検査装置の全体斜視図である。
【図２】本発明の汚水枡用水質検査装置の側方から見た縦断面図である。
【図３】汚水枡に本発明の汚水枡用水質検査装置を設置する途中を表す図である。
【図４】汚水枡に本発明の汚水枡用水質検査装置を設置した状態を表す図である。
【図５】(ａ)は枡蓋の平面図、（ｂ）は汚水枡の上部断面図である。
【図６】アタッチメントを本体に取り付けた状態を表す斜視図である。
【図７】アタッチメントを本体に取り付けた状態を表す一部横断面図である。
【図８】汚水枡用水質検査装置を汚水枡に取り付けるための冶具を表す図である。
【図９】本発明の汚水枡用水質検査装置の他の実施形態を表す図４相当図である。
【符号の説明】
【００５５】
１０  汚水枡用水質検査装置
１２  取付部
１４  本体
１６  センサ
１８  データロガー
２０  弾性帯体
２４  取手
２８  ヒンジ
３２  漂流物防止プレート
３２ａ  孔
３４  一方向弁
３６  計測槽
３８  固定プレート
３８ａ  開口
４０  可動プレート
４４  ケーブル
４６  吊下げ金具
４６ａ  データロガー取付部
４６ｂ  枡蓋取付部
５０  汚水枡
５２  枡蓋
５２ａ  貫通孔
５６  入水管
５８  インバート
８０  採水装置
【図１】
2008026257.tif 000003
【図２】
2008026257.tif 000004
【図３】
2008026257.tif 000005
【図４】
2008026257.tif 000006
【図５】
2008026257.tif 000007
【図６】
2008026257.tif 000008
【図７】
2008026257.tif 000009
【図８】
2008026257.tif 000010
【図９】
2008026257.tif 000011